(57)【特許請求の範囲】
【請求項１】
ダウンロードしたコンテンツの再生回数を計数手段で計数し、該計数手段の計数値が予め設定した回数に達した時点で該コンテンツの以後の再生を禁止する移動体端末の制御方法において、
前記コンテンツの再生が最終状態に達するまでの間の再生中止を検出するとともに、
前記再生中止がユーザの操作に基づくものであるかを判別し、
前記計数手段は、前記コンテンツの再生が最終状態に達するまでの間に前記再生中止が検出されない場合若しくは前記再生中止が検出され、かつ、該再生中止がユーザの操作に基づくものであると判別された場合に、該コンテンツの再生を前記再生回数として計数する
ことを特徴とする移動体端末の制御方法。
【請求項２】
前記計数手段は、前記再生中止がユーザの操作に基づくものであると判別され、かつ、該再生中止の検出が前記コンテンツの再生の最終状態に近い所定の状態である場合に、該コンテンツの再生を前記再生回数として計数する
ことを特徴とする請求項１記載の移動体端末の制御方法。
【請求項３】
前記計数手段は、前記再生中止がユーザの操作に基づくものでないと判別された場合は、該コンテンツの再生を前記再生回数として計数しない
ことを特徴とする請求項１記載の移動体端末の制御方法。
【請求項４】
ダウンロードしたコンテンツの再生回数を計数手段で計数し、該計数手段の計数値が予め設定した回数に達した時点で該コンテンツの以後の再生を禁止する移動体端末において、
前記コンテンツの再生が最終状態に達するまでの間の再生中止を検出する検出手段と、
前記再生中止がユーザの操作に基づくものであるかを判別する判別手段と、
前記コンテンツの再生が最終状態に達するまでの間に前記再生中止が前記検出手段により検出されない場合若しくは前記検出手段により前記再生中止が検出され、かつ、該再生中止が前記判別手段によりユーザの操作に基づくものであると判別された場合に、該コンテンツの再生を前記再生回数として前記計数手段により計数させる計数制御手段と
を具備することを特徴とする移動体端末。
【請求項５】
前記計数制御手段は、
前記判別手段により前記再生中止がユーザの操作に基づくものであると判別され、かつ、前記検出手段による前記再生中止の検出が、前記コンテンツの再生の最終状態に近い所定の状態である場合に、該コンテンツの再生を前記再生回数として前記計数手段により計数させる
ことを特徴とする請求項４記載の移動体端末。
【請求項６】
前記計数制御手段は、
前記検出手段により検出された前記再生中止がユーザの操作に基づくものでないと前記判別手段により判別された場合は、該コンテンツの再生を前記再生回数として前記計数手段に計数させない
ことを特徴とする請求項１記載の移動体端末。
【請求項７】
再生回数が制限されたダウンロードしたコンテンツを記憶する記憶部と、
再生指示キー及び再生停止キーを含むキー入力部と、
前記再生指示キーの操作に応じて前記記憶部からコンテンツを読み出して再生するとともに、前記再生停止キーの操作または着信に応じてコンテンツの再生を中止する再生処理部と、
前記再生処理部によるコンテンツの再生中止が、前記再生停止キーの操作に基づく場合は再生回数として計数し、着信に基づく場合は再生回数として計数しない再生回数計数部と、
前記再生回数計数部による計数された値が再生回数の制限値に達すると、以後の再生を禁止する再生禁止部と
を具備したことを特徴とする移動端末。
【請求項８】
再生回数が制限されたダウンロードしたコンテンツを記憶する記憶部と、
再生指示キー及び再生停止キーを含むキー入力部と、
前記再生指示キーの操作に応じて前記記憶部からコンテンツを読み出して再生するとともに、前記再生停止キーの操作またはメール受信に応じてコンテンツの再生を中止する再生処理部と、
前記再生処理部によるコンテンツの再生中止が、前記再生停止キーの操作に基づく場合は再生回数として計数し、メール受信に基づく場合は再生回数として計数しない再生回数計数部と、
前記再生回数計数部による計数された値が再生回数の制限値に達すると、以後の再生を禁止する再生禁止部と
を具備したことを特徴とする移動端末。
【請求項９】
再生回数が制限されたダウンロードしたコンテンツを記憶する記憶部と、
再生指示キー及び再生停止キーをと含むキー入力部と、
前記再生指示キーの操作に応じて前記記憶部からコンテンツを読み出して再生するとともに、前記再生停止キーの操作またはアラーム機能の動作に応じてコンテンツの再生を中止する再生処理部と、
前記再生処理部によるコンテンツの再生中止が、前記再生停止キーの操作に基づく場合は再生回数として計数し、アラーム機能の動作に基づく場合は再生回数として計数しない再生回数計数部と、
前記再生回数計数部による計数された値が再生回数の制限値に達すると、以後の再生を禁止する再生禁止部と
を具備したことを特徴とする移動端末。
【発明の詳細な説明】
【０００１】
【発明の属する技術分野】
この発明は、センタ等からダウンロードしたコンテンツを再生する機能を有する移動体端末の制御方法および移動体端末に関し、特に、ダウンロードしたコンテンツの再生回数に制限を与えることによりダウンロードしたコンテンツが無制限に再生されてしまう不都合を解消した移動体端末の制御方法および移動体端末に関する。
【０００２】
【従来の技術】
近年、携帯電話機等の移動体端末においてはセンタ等からダウンロードしたコンテンツを再生する機能が付加されている。
【０００３】
この機能は、センタ等からユーザが所望するコンテンツをダウンロードし、該ダウンロードしたコンテンツをユーザの意志により再生することで該コンテンツに係るサービスを享受するものである。
【０００４】
ここで、センタ等からダウンロードするコンテンツには、静止画や動画や音情報や文字情報等を含むマルチメディアアプリケーション、ゲームアプリケーション等の各種サービス情報を含む。
【０００５】
【発明が解決しようとする課題】
ところで、上記センタ等からダウンロードするコンテンツは、従来、一旦携帯電話機等の移動体端末にダウンロードしてしまうと、端末側で再生が自由であったが、最近、この種のコンテンツに対して該コンテンツの配布元においてその再生回数の制限を設けたいという要望が生じている。
【０００６】
これは、有償、無償とに係らず、このダウンロードしたコンテンツが端末側で自由に再生できてしまうと、このコンテンツの価値の低下を招くとともに、このコンテンツの作成者に不測の不利益を与えることがあるという不都合があるからである。
【０００７】
そこで、この種のコンテンツの中に再生許可回数を制限する情報を含ませ、この情報によりダウンロードしたコンテンツの再生回数を制限しようとすることが試みられている。
【０００８】
しかし、このダウンロードしたコンテンツの再生に際しては、再生側端末が携帯電話機等の移動体端末であるために、このコンテンツの再生途中に不測の着信があったり、電池切れが生じたり、また、アラーム音生成機能が作動したりする場合は、このコンテンツの再生が強制的に中止されてしまう場合があり、このために単純に再生回数を制限したのでは、ユーザが不測の事態によりダウンロードしたコンテンツの再生によるサービスを十分に受けることができなくなるという不都合が発生する。
【０００９】
また、ダウンロードしたコンテンツの再生が完全に終了しない限りは再生回数にカウントしないという構成をとると、コンテンツの再生が完全に終了する前に意図的にこのコンテンツの再生を中止することで実質的に無制限の再生が可能になってしまう。
【００１０】
そこで、この発明は、ダウンロードしたコンテンツが無制限に再生されてしまう不都合を有効に解消した移動体端末の制御方法および移動体端末を提供することを目的とする。
【００１１】
【課題を解決するための手段】
この発明は、ダウンロードしたコンテンツの再生回数を計数手段で計数し、該計数手段の計数値が予め設定した回数に達した時点で該コンテンツの以後の再生を禁止する移動体端末の制御方法において、前記コンテンツの再生が最終状態に達するまでの間の再生中止を検出するとともに、前記再生中止がユーザの操作に基づくものであるかを判別し、前記計数手段は、前記コンテンツの再生が最終状態に達するまでの間に前記再生中止が検出されない場合若しくは前記再生中止が検出され、かつ、該再生中止がユーザの操作に基づくものであると判別された場合に、該コンテンツの再生を前記再生回数として計数することを特徴とする。
【００１２】
ここで、移動体端末とは、センタ等からダウンロードしたコンテンツを再生する機能を有する携帯電話機およびその他各種の携帯端末を含む。
【００１３】
また、ダウンロードしたコンテンツとは、静止画や動画や音音情報や文字情報等を含むマルチメディアアプリケーション、ゲームアプリケーション等の各種サービス情報を含む。
【００１４】
ここで、再生中止がユーザの操作に基づくものであるとの判別は、例えば、コンテンツの再生途中に該コンテンツの再生の強制的中止に繋がるユーザによる電源キー、中止キー等の操作がなされたか否かに基づき判別することができる。
【００１５】
このような構成によると、ダウンロードしたコンテンツの再生に際して、コンテンツの再生が最終状態に達するまでの間に再生中止が検出されない場合若しくは再生中止が検出され、かつ、該再生中止がユーザの操作に基づくものであると判別された場合に、コンテンツ再生回数が計数されるので、これによって、コンテンツ再生途中による強制中止によりユーザがコンテンツの再生によるサービスを十分に受けることができなくなるという不都合が解消できるとともに、コンテンツの再生が完全に終了する前にユーザが意図的にこのコンテンツの再生を中止することで実質的に無制限の再生が可能になってしまうという不都合が解消できる。
【００１６】
また、上記構成において、前記計数手段は、前記再生中止がユーザの操作に基づくものであると判別され、かつ、該再生中止の検出が前記コンテンツの再生の最終状態に近い所定の状態である場合に、該コンテンツの再生を前記再生回数として計数するように構成することができる。
【００１７】
このような構成によると、ユーザの操作に基づく再生中止がコンテンツの再生が最終状態に近い所定の状態で検出された場合にのみコンテンツ再生回数にカウントされるので、例えば、コンテンツ再生途中において誤って該コンテンツの再生の強制的中止に繋がるユーザによる電源キー、中止キー等の操作がなされた場合等が救済できる。
【００１８】
また、上記構成において、前記計数手段は、前記再生中止がユーザの操作に基づくものでないと判別された場合は、該コンテンツの再生を前記再生回数として計数しないように構成することができる。
【００１９】
ここで、再生中止がユーザの操作に基づくものでないとの判別は、例えば、コンテンツの再生途中におけるメールを含む着信、電池切れ、アラーム音生成機能の作動等によるコンテンツの再生中止動作の場合に判別することができる。
【００２０】
このような構成によると、コンテンツの再生途中におけるメールを含む着信、電池切れ、アラーム音生成機能の作動等によるコンテンツの再生中止が生じた場合は、コンテンツ再生回数にカウントされないので、これにより不測の事態によりダウンロードしたコンテンツの再生によるサービスをユーザが十分に受けることができなくなるという不都合を解消することができる。
【００２１】
また、この発明は、ダウンロードしたコンテンツの再生回数を計数手段で計数し、該計数手段の計数値が予め設定した回数に達した時点で該コンテンツの以後の再生を禁止する移動体端末において、前記コンテンツの再生が最終状態に達するまでの間の再生中止を検出する検出手段と、前記再生中止がユーザの操作に基づくものであるかを判別する判別手段と、前記コンテンツの再生が最終状態に達するまでの間に前記再生中止が前記検出手段により検出されない場合若しくは前記検出手段により前記再生中止が検出され、かつ、該再生中止が前記判別手段によりユーザの操作に基づくものであると判別された場合に、該コンテンツの再生を前記再生回数として前記計数手段により計数させる計数制御手段とを具備することを特徴とする。
【００２２】
ここで、前記計数制御手段は、前記判別手段により前記再生中止がユーザの操作に基づくものであると判別され、かつ、前記検出手段による前記再生中止の検出が、前記コンテンツの再生の最終状態に近い所定の状態である場合に、該コンテンツの再生を前記再生回数として前記計数手段により計数させるように構成することができる。
【００２３】
また、前記計数制御手段は、前記検出手段により検出された前記再生中止がユーザの操作に基づくものでないと前記判別手段により判別された場合は、該コンテンツの再生を前記再生回数として前記計数手段に計数させないようにすることができる。
【００２４】
また、この発明は、再生回数が制限されたダウンロードしたコンテンツを記憶する記憶部と、再生指示キー及び再生停止キーを含むキー入力部と、前記再生指示キーの操作に応じて前記記憶部からコンテンツを読み出して再生するとともに、前記再生停止キーの操作または着信に応じてコンテンツの再生を中止する再生処理部と、前記再生処理部によるコンテンツの再生中止が、前記再生停止キーの操作に基づく場合は再生回数として計数し、着信に基づく場合は再生回数として計数しない再生回数計数部と、前記再生回数計数部による計数された値が再生回数の制限値に達すると、以後の再生を禁止する再生禁止部とを具備したことを特徴とする。
【００２５】
また、この発明は、再生回数が制限されたダウンロードしたコンテンツを記憶する記憶部と、再生指示キー及び再生停止キーを含むキー入力部と、前記再生指示キーの操作に応じて前記記憶部からコンテンツを読み出して再生するとともに、前記再生停止キーの操作またはメール受信に応じてコンテンツの再生を中止する再生処理部と、前記再生処理部によるコンテンツの再生中止が、前記再生停止キーの操作に基づく場合は再生回数として計数し、メール受信に基づく場合は再生回数として計数しない再生回数計数部と、前記再生回数計数部による計数された値が再生回数の制限値に達すると、以後の再生を禁止する再生禁止部とを具備したことを特徴とする。
【００２６】
また、この発明は、再生回数が制限されたダウンロードしたコンテンツを記憶する記憶部と、再生指示キー及び再生停止キーをと含むキー入力部と、前記再生指示キーの操作に応じて前記記憶部からコンテンツを読み出して再生するとともに、前記再生停止キーの操作またはアラーム機能の動作に応じてコンテンツの再生を中止する再生処理部と、前記再生処理部によるコンテンツの再生中止が、前記再生停止キーの操作に基づく場合は再生回数として計数し、アラーム機能の動作に基づく場合は再生回数として計数しない再生回数計数部と、前記再生回数計数部による計数された値が再生回数の制限値に達すると、以後の再生を禁止する再生禁止部とを具備したことを特徴とする。
【００２７】
【発明の実施の形態】
以下、この発明に係わる移動体端末の制御方法および移動体端末の実施の形態を添付図面を参照して詳細に説明する。
【００２８】
図１は、この発明に係わる移動体端末の一実施の形態を示すブロック図である。なお、図１においては、この発明に係わる移動体端末が携帯電話機である場合を示している。
【００２９】
図１において、この実施の形態の携帯電話機１００は、アンテナ１０、無線制御部１１、メモリ部１２、キー入力部１３、制御部１４、表示制御装置１５、表示装置１６、音声制御部１７、音声出力装置１８、音声入力装置１９を具備して構成される。
【００３０】
ここで、無線制御部１１は、アンテナ１０で送受信される無線信号の変調、復調等の処理を行うものである。また、メモリ部１２は、この携帯電話機１００で処理される各種データを一時保存するものである。この一時保存するデータの中にはこの発明に係る図示しないセンタ装置からダウンロードした静止画や動画や音音情報や文字情報等を含むマルチメディアアプリケーション、ゲームアプリケーション等の各種サービス情報を含むコンテンツも含まれる。
【００３１】
また、キー入力部１３は、ダイヤルキー、各種ファンクションキー等を含み、このキー入力部１３には、図示しないセンタ装置からダウンロードしたコンテンツの再生要求を指示するキーおよびコンテンツの再生中に操作することにより該コンテンツの再生の強制的中止に繋がる電源キー、中止キー等も含まれる。
【００３２】
また、制御部１４は、この携帯電話機１００の全体動作を統括制御するものであり、この制御部１４には、コンテンツの再生中における再生中止動作を検出する再生中止動作検出部１４１、コンテンツの再生回数を計数する再生回数計数部１４２が設けられており、また、この制御部１４は上記再生回数計数部１４２の計数値に基づき該コンテンツの以後の再生を禁止する再生禁止制御を行う。
【００３３】
表示制御装置１５は、メモリ１２に格納されたコンテンツをイメージデータに変換するイメージデコーダ１５１を有しており、このイメージデコーダ１５１で変換されたイメージデータに基づき上記コンテンツを表示装置１６に表示する表示制御を行う。
【００３４】
表示装置１６は、表示制御装置１５の処理によりこの発明に係るコンテンツの表示およびその他この携帯電話機１００により処理される各種データの表示を行うものである。
【００３５】
音声制御部１７は、音声出力装置１８へ出力する音声信号および音声入力部１９から入力された音声信号の処理を行なうものであり、音声出力装置１８は、この携帯電話機１００の送話器を構成するもので、例えば、音声信号を音声として出力するスピーカから構成され、音声入力部１９は、この携帯電話機１００の受話器を構成するもので、例えば、入力音声を音声信号として取得するマイクロフォンから構成される。
【００３６】
ここで、この携帯無線電話機１００におけるコンテンツの再生について簡単に説明すると、まず、表示制御装置１５上で再生されるコンテンツはキー入力部１３の操作に基づき、アンテナ１０、無線制御部１１を経由して図示しないセンタ装置からダウンロードし、メモリ部１２に格納する。
【００３７】
上記センタ装置は、この携帯無線電話機１００のユーザが予め契約した特定のセンタ装置であってもよく、またインターネットアクセス可能に構成されている場合は、インターネット上の特定の装置であってもよい。
【００３８】
メモリ部１２にダウンロードされたコンテンツは、ユーザによるキー入力部１３の操作に基づき表示装置１６上に再生される。
【００３９】
この実施の形態の携帯無線電話機１００においては、上記表示装置１６上でのコンテンツの再生回数を所定の回数に制限することで、ダウンロードしたコンテンツの価値の低下を防ぐとともに、このコンテンツの作成者に不測の不利益を与えることがないように構成されている。
【００４０】
なお、この実施の形態においては上記制限されるコンテンツの再生回数を示す情報をダウンロードしたコンテンツ内に含ませるように構成して、コンテンツ毎にコンテンツ再生回数を任意に設定できるように構成されているが、このコンテンツ再生回数を、例えば、センタ装置からの指示により提供するサービスに対応してこの携帯無線電話機１００内に予め設定するように構成してもよい。
【００４１】
さて、この実施例に係る携帯無線電話機１００においては、制御部１４の再生回数計数部１４２で、単純にコンテンツ再生回数を計数するのではなく、以下に示す条件に基づきコンテンツ再生回数を計数する。
【００４２】
１）コンテンツの再生途中において、再生中止動作検出部１４１によりコンテンツの再生中止動作が検出されない場合は、コンテンツ再生終了により１回のコンテンツ再生として計数する。
【００４３】
２）コンテンツの再生途中において、再生中止動作検出部１４１によりコンテンツの再生中止動作が検出され、この再生中止動作がユーザの意図的操作、例えば、電源キー若しくは中止キー等の押下に基づくものである場合においては、コンテンツの再生が最終頁まで再生されている場合は１回のコンテンツ再生として計数するが、最終頁まで再生されていない場合は、１回のコンテンツ再生として計数しない。
【００４４】
３）コンテンツの再生途中において、再生中止動作検出部１４１によりコンテンツの再生中止動作が検出され、この再生中止動作がユーザの意図的操作に基づくものではない場合、例えば、コンテンツの再生途中におけるメールを含む着信に基づく操作、電池切れ、アラーム音生成機能の作動等に基づくものである場合は、コンテンツの再生が最終頁まで再生されているか否かに係らず１回のコンテンツ再生として計数しない。
【００４５】
そして、制御部１４は、上記再生回数計数部１４２で計数したコンテンツ再生回数が所定の回数に達すると、メモリ部１２に格納した当該コンテンツの強制削除等により以後の当該コンテンツの再生を禁止する。
【００４６】
なお、この携帯電話機１００の通話機能においては、音声制御部１７、音声出力装置１８、音声入力装置１９を用いて主に制御が行われるが、この通話機能はこの発明の要旨に関係ないのでその詳細説明は省略する。
【００４７】
図２は、図１に示した携帯電話機１００の外観を示した外観図である。
【００４８】
図２において、この携帯電話機１００は、その頂部にアンテナ１０を有するとともに、その前面部に表示装置１６および複数のキーからなるキー入力部１３が設けられている。
【００４９】
そして、表示装置１６には、この発明に係る再生されたコンテンツが表示される。
【００５０】
また、キー入力部１３には、複数のダイヤルキーおよび各種ファンクションキーとともに、着信若しくは発信時に操作される「ＴEL」が刻印されている通話キー１３１、コンテンツ再生中に該コンテンツの再生を中止するために操作される「Ｃ」が刻印されている中止キー（キャンセルキー）１３２、電源のＯＮ、ＯＦＦ時に操作される「Ｘ」が刻印されている電源キー１３３が設けられている。
【００５１】
図３は、図１に示した携帯電話機１００のコンテンツ再生に係る動作を説明するフローチャートである。
【００５２】
図３においては、この携帯電話機１００がセンタ装置等から所望のコンテンツをダウンロードし、このダウンロードしたコンテンツを再生する際の処理を示している。
【００５３】
この処理が開始されると、まず、再生回数計数部１４２の計数値（コンテンツ再生回数）ｎを０にクリアする（ステップ３０１）。次に、キー入力部１３の操作に基づき所定のコンテンツの再生要求操作を制御部１４で受け付けたか否かをを調べる（ステップ３０２）。
【００５４】
ここで、コンテンツの再生要求操作を受け付けていない場合は（ステップ３０２でＮＯ）、ステップ３０２に戻り、コンテンツ再生要求操作受付を待つが、コンテンツの再生要求操作を受け付けたと判断されると（ステップ３０２でＹＥＳ）、この受け付けたコンテンツの再生要求操作に係る再生コンテンツに含まれるコンテンツ再生許可回数Ｎを抽出する（ステップ３０３）。
【００５５】
そして、上記コンテンツ再生回数ｎが上記コンテンツ再生許可回数Ｎより小さいか、すなわち、コンテンツ再生回数ｎがコンテンツ再生許可回数Ｎに達していないか否かを調べる（ステップ３０４）。
【００５６】
ここで、コンテンツ再生回数ｎがコンテンツ再生許可回数Ｎに達していないと判断されると（ステップ３０４でＹＥＳ）、制御部１４は当該コンテンツをメモリ部１２から取り出して表示制御部１５に送り、表示制御部１５はこのコンテンツをイメージデコーダ１５１でイメージデータに変換して、表示装置１６へ送り、これによりコンテンツの再生が開始される（ステップ３０５）。
【００５７】
コンテンツの再生が開始されると、まず、コンテンツの再生中に操作することにより該コンテンツの再生の強制的中止に繋がる電源キー１３３、中止キー１３２が操作されたかを調べる（ステップ３０６）。ここで、上記電源キー１３３および中止キー１３２のいずれも操作されていないと判断されると（ステップ３０６でＮＯ）、次に、着信があるかが調べられる（ステップ３０７）。ここでの着信は、通常の通話を目的とした着信以外にメール着信も含まれる。
【００５８】
ステップ３０７で、着信がないと判断されると（ステップ３０７でＮＯ）、次に、再生コンテンツは最終頁まで再生されたかを調べ（ステップ３０８）、ここで、最終頁まで再生されていないと判断されると（ステップ３０８でＮＯ）、ステップ３０６に戻り、ステップ３０６からステップ３０８の判断を繰り返す。
【００５９】
そして、電源キー１３３および中止キー１３２のいずれも操作されることなく、また、着信も生じることなく最終頁まで再生されたと判断されると（ステップ３０８でＹＥＳ）、当該コンテンツの再生処理を終了し（ステップ３０９）、コンテンツ再生回数ｎを１インクリメントして（ステップ３１０）、ステップ３０２に戻る。
【００６０】
また、コンテンツの再生途中において、当該コンテンツの再生の強制的中止に繋がる電源キー１３３若しくは中止キー１３２が操作されたと判断されると（ステップ３０６でＹＥＳ）、当該コンテンツの再生処理は中止され（ステップ３１１）、次に、再生コンテンツは最終頁まで再生されたかを調べ（ステップ３１２）、ここで、最終頁まで再生されたと判断された場合は（ステップ３１２でＹＥＳ）、コンテンツ再生回数ｎを１インクリメントして（ステップ３１３）、ステップ３０２に戻るが、最終頁まで再生されていないと判断された場合は（ステップ３１２でＮＯ）、コンテンツ再生回数ｎを１インクリメントすることなくステップ３０２に戻る。
【００６１】
また、コンテンツの再生途中において、着信があったと判断されると（ステップ３０７でＹＥＳ）、当該コンテンツの再生処理は中止され（ステップ３１４）、その後、着信動作が制御される（ステップ３４５）。この場合も、コンテンツ再生回数ｎを１インクリメントすることなくステップ３０２に戻る。
【００６２】
上記処理により、ステップ３０４でコンテンツ再生回数ｎがコンテンツ再生許可回数Ｎに達したと判断されると（ステップ３０４でＹＥＳ）、この処理を終了する。
【００６３】
なお、上記構成において、コンテンツの再生途中において着信があり、コンテンツの再生処理が強制中止された場合は、このコンテンツ再生を１回の再生と計数しないようにした理由は、着信はユーザにとって予測できないものであり、このユーザにより予測できない動作によりコンテンツ再生が強制中止された場合にこれを１回の再生として計数するのは酷であるからである。
【００６４】
なお、この実施の形態においては、コンテンツの再生途中において着信があって、コンテンツ再生が強制中止された場合は、これを１回の再生として計数しないように構成したが、コンテンツの再生途中において、電池切れ、アラーム音声機能の作動等によりコンテンツ再生が強制中止された場合にも、同様に、これを１回の再生として計数しないように構成することができる。
【００６５】
また、上記実施の形態において、コンテンツの再生途中において、当該コンテンツの再生の強制的中止に繋がる電源キー１３３若しくは中止キー１３２が操作された場合に、当該コンテンツの再生が最終頁までいっていない場合は、このコンテンツ再生を１回の再生と計数しないように構成したが、ユーザによる不正操作を防ぐためには、コンテンツの再生途中において、当該コンテンツの再生の強制的中止に繋がる電源キー１３３若しくは中止キー１３２が操作された場合は、当該コンテンツの再生が最終頁までいっているか否かに係らず、このコンテンツ再生を１回の再生と計数するように構成してもよい。
【００６６】
この場合の処理は図４のようになる。
【００６７】
図４においては、図３に示したステップ３１２の処理が削除されており、その他の構成は図３に示した処理と同様である。
【００６８】
すなわち、図４において、コンテンツの再生途中において、当該コンテンツの再生の強制的中止に繋がる電源キー１３３若しくは中止キー１３２が操作されたと判断されると（ステップ３０６でＹＥＳ）、当該コンテンツの再生処理は中止され（ステップ３１１）、次に、コンテンツ再生回数ｎを１インクリメントして（ステップ３１３）、ステップ３０２に戻る。
【００６９】
このような構成によると、コンテンツの再生が完全に終了する前にユーザが意図的に電源キー１３３若しくは中止キー１３２を押下してこのコンテンツの再生を中止し、これにより実質的に無制限の再生が可能になってしまうという不都合を完全に除去できる。
【００７０】
また、コンテンツの再生途中において、当該コンテンツの再生の強制的中止に繋がる電源キー１３３若しくは中止キー１３２が操作された場合は、当該コンテンツの再生が最終頁までいっているか否かに係らず、このコンテンツ再生を１回の再生と計数するように構成すると、電源キー１３３若しくは中止キー１３２の誤操作があった場合でも、これが１回の再生と計数されてしまうので、例えば、当該コンテンツの再生が最終頁の近くまでいっていて、この再生の享受を略受けていると判断される場合は、このコンテンツ再生を１回の再生と計数するが、当該コンテンツの再生が最終頁の近くまでいっていない場合は、このコンテンツ再生を１回の再生として計数しないように構成してもよい。
【００７１】
この場合の処理は図５のようになる。
【００７２】
図５においては、図３に示したステップ３１２の処理が、最終頁または最終頁から数えて所定の頁内かの判断処理に代えられている。その他の構成は図３に示した処理と同様である。
【００７３】
すなわち、図５において、コンテンツの再生途中において、当該コンテンツの再生の強制的中止に繋がる電源キー１３３若しくは中止キー１３２が操作されたと判断されると（ステップ３０６でＹＥＳ）、当該コンテンツの再生処理は中止され（ステップ３１１）、次に、再生コンテンツは最終頁または最終頁から数えて所定の頁内まで再生されたかを調べ（ステップ５１２）、ここで、最終頁または最終頁から数えて所定の頁内まで再生されたと判断された場合は（ステップ５１２でＹＥＳ）、コンテンツ再生回数ｎを１インクリメントして（ステップ３１３）、ステップ３０２に戻るが、最終頁または最終頁から数えて所定の頁内まで再生されていないと判断された場合は（ステップ５１２でＮＯ）、コンテンツ再生回数ｎを１インクリメントすることなくステップ３０２に戻る。
【００７４】
なお、最終頁または最終頁から数えて所定の頁内まで再生されたか否かの判断は、このコンテンツの再生が、最終頁を含む予め設定された頁範囲まで再生が進んでいるか否か、若しくはこのコンテンツ全体の所定のパーセント以上再生が進んでいるか否かにより判断するように構成することができる。
【００７５】
図６乃至図１０は、図３に示したコンテンツ再生処理における具体例を示す図である。
【００７６】
図６乃至図１０においては、このコンテンツ再生処理の対象となるコンテンツが図６に示すように（１）〜（９）の９コマの動画である場合を示している。
【００７７】
ここで、例えば、図７に示すように、表示装置１６の表示画面に、コマ（３）の画像が再生中に当該コンテンツの再生の強制的中止に繋がる電源キー１３３若しくは中止キー１３２が押下されると、このコンテンツの再生動作は強制的に中止され、表示装置１６の表示画面は待機状態の画面になる。この場合、このコンテンツの再生は最終頁、すなわち最終コマ（９）まで進んでいないので、１回の再生として計数されない。
【００７８】
また、図８は、このコンテンツの再生が最終頁、すなわち最終コマ（９）まで進んだ状態で、当該コンテンツの再生の強制的中止に繋がる電源キー１３３若しくは中止キー１３２が押下された場合を示す。この場合、このコンテンツの再生が最終頁、すなわち最終コマ（９）まで進んでいるので、１回の再生として計数される。
【００７９】
また、図９は、このコンテンツの再生がコマ（８）まで進んだ状態で、着信があり、着信音が鳴動した場合である。この場合は、このコンテンツの再生動作は強制的に中止され、表示装置１６の表示画面は着信状態を示す画面になる。この場合、着信に基づくコンテンツ再生の強制中止であるので、１回の再生として計数されない。
【００８０】
また、図１０は、このコンテンツの再生がコマ（３）まで進んだ状態で、メール受信があり、このコンテンツの再生動作が強制的中止された場合である。この場合は、表示装置１６の表示画面はメール受信を示す画面になり、この場合も、メール着信に基づくコンテンツ再生の強制中止であるので、１回の再生として計数されない。
【００８１】
【発明の効果】
以上説明したようにこの発明によれば、ダウンロードしたコンテンツの再生回数を計数し、該計数値が予め設定した回数に達した時点で該コンテンツの以後の再生を禁止する移動体端末において、コンテンツの再生が最終状態に達するまでの間の再生中止を検出するとともに、該再生中止がユーザの操作に基づくものであるかを判別し、コンテンツの再生が最終状態に達するまでの間に前記再生中止が検出されない場合若しくは再生中止が検出され、かつ、該再生中止がユーザの操作に基づくものであると判別された場合に、該コンテンツの再生を再生回数として計数するように構成したので、コンテンツ再生途中による強制中止によりユーザがコンテンツの再生によるサービスを十分に受けることができなくなるという不都合が解消できるとともに、コンテンツの再生が完全に終了する前にユーザが意図的にこのコンテンツの再生を中止することで実質的に無制限の再生が可能になってしまうという不都合を有効に解消できるという効果を奏する。
【図面の簡単な説明】
【図１】この発明に係わる移動体端末の一実施の形態を示すブロック図である。
【図２】図１に示した携帯電話機の外観を示した外観図である。
【図３】図１に示した携帯電話機のコンテンツ再生に係る動作を説明するフローチャートである。
【図４】図１に示した携帯電話機のコンテンツ再生に係る他の動作を説明するフローチャートである。
【図５】図１に示した携帯電話機のコンテンツ再生に係る更に他の動作を説明するフローチャートである。
【図６】図１に示した携帯電話機におけるコンテンツ再生処理の対象となるコンテンツの具体例を示す図である。
【図７】図１に示した携帯電話機におけるコンテンツ再生処理の具体例を説明する図である。
【図８】図１に示した携帯電話機におけるコンテンツ再生処理の具体例を説明する図である。
【図９】図１に示した携帯電話機におけるコンテンツ再生処理の具体例を説明する図である。
【図１０】図１に示した携帯電話機におけるコンテンツ再生処理の具体例を説明する図である。
【符号の説明】
１０    アンテナ
１１    無線制御部
１２    メモリ部
１３    キー入力部
１４    制御部
１５    表示制御装置
１６    表示装置
１７    音声制御部
１８    音声出力装置
１９    音声入力装置
１３１    通話キー
１３２    中止キー
１３３    電源キー
１４１    再生中止動作検出部
１４２    再生回数計数部
【図１】
0003703759.tif 000002
【図２】
0003703759.tif 000003
【図３】
0003703759.tif 000004
【図４】
0003703759.tif 000005
【図５】
0003703759.tif 000006
【図６】
0003703759.tif 000007
【図７】
0003703759.tif 000008
【図８】
0003703759.tif 000009
【図９】
0003703759.tif 000010
【図１０】
0003703759.tif 000011